(57)【特許請求の範囲】
【請求項１】
ファイル表紙体と、
このファイル表紙体の内面に配設され被綴込物を綴じ込む綴じ具と、
前記ファイル表紙体に対して前記綴じ具を固定する固定具と、
この固定具の固定状態を保持するロック部材とを具備した綴込ファイルであって、
前記ファイル表紙体は、第１係合孔を有し、
前記綴じ具は、第２係合孔を有し、
前記固定具は、前記ファイル表紙体および前記綴じ具の間に配置される土台部と、この土台部の一方の面に設けられ前記第１係合孔に挿通可能でありかつこの第１係合孔に挿通された状態にて前記ファイル表紙体に係合可能な係合爪と、前記土台部の他方の面に設けられ第２係合孔に挿通可能でありかつ被係合部が形成された挿通部とを有し、
ロック部材は、前記被係合部に係合可能な係合部を有している
ことを特徴とする綴込ファイル。
【請求項２】
ファイル表紙体と、
このファイル表紙体の内面に配設され被綴込物を綴じ込む綴じ具と、
前記ファイル表紙体に対して前記綴じ具を固定する固定具とを具備した綴込ファイルであって、
前記ファイル表紙体は、係合孔を有し、
前記綴じ具は、綴じ具側係合部を有し、
前記固定具は、前記ファイル表紙体および前記綴じ具の間に配置される土台部と、この土台部の一方の面に設けられ前記係合孔に挿通可能でありかつこの係合孔に挿通された状態にて前記ファイル表紙体に係合可能な係合爪と、前記土台部の他方の面に設けられ前記綴じ具係合部に係合可能な固定具側被係合部とを有し、
前記固定具は、前記係合爪が前記係合孔に挿通されて前記ファイル表紙体に係合されかつ前記固定具側被係合部が前記綴じ具側係合部に係合されることにより、前記ファイル表紙体に対して前記綴じ具を固定する
ことを特徴とする綴込ファイル。
【発明の詳細な説明】
【技術分野】
【０００１】
本発明は、例えば書類や収納ホルダ等の被綴込物を綴じ込むための綴じ具をファイル表紙体に固定して使用する綴込ファイルに関する。
【背景技術】
【０００２】
従来、この種の綴込ファイルとしては、背表紙の内面にベース固定具を介して着脱自在に固定されたベースを有する綴じ具を備えたバインダーであって、前記ベース固定具は、前記背表紙及び前記ベースを貫通する貫通部材と、この貫通部材に形成された穴に挿抜可能な挿通軸部と、この挿通軸部の隣接位置に設けられたフック部とを含み、前記挿通軸部が前記貫通部材の穴に挿入された際に前記ベースが背表紙に固定されたものが知られている（例えば、特許文献１参照。）。
【特許文献１】特開２００３−２７６３７５号公報（第２，３頁、図１）
【発明の開示】
【発明が解決しようとする課題】
【０００３】
しかしながら、上述した特許文献１の構成では、貫通部材が背表紙及び綴じ具すなわちベースを貫通するため、前記背表紙と前記貫通部材との交差部である背表紙の貫通孔と、綴じ具と貫通部材との交差部である綴じ具の貫通孔とが連通している必要がある。
【０００４】
ここで、背表紙の貫通孔は、前記背表紙部に取り付けられた際に、前記綴じ具の重量およびこの綴じ具に綴じ込まれた被綴込物の重量が作用する部分であり、これらの重量によって、前記綴じ具が前期背表紙から脱落しないように設計する必要があり、例えば、前記背表紙部の貫通孔は、被綴込物の重量をダイレクトに受け止められる位置である前記綴じ具における被綴込物を綴じ込むパイプ部等の背表紙側直下に好適に設けられる。この位置に前記背表紙の貫通孔を設けた場合には、上記従来技術に係る綴じ具の貫通孔は、この背表紙部の貫通孔と連通する位置、すなわちパイプ部等の背表紙側直下に設けられる。したがって、挿通軸部の挿抜作業等はこの位置にて行う必要がある。
【０００５】
しかし、この挿抜作業は、上記の作業位置周辺にパイプ部やこのパイプ部を取り付けるための部材等が存在するため、作業性が極めて悪いものとなってしまう。
【０００６】
この作業性の悪さに起因して、例えば、貫通部材に設けられた穴に対して挿通軸部が確実に挿通されなかったり、フック部が確実に係合されなかったりした場合等のように、ベース固定具が正確に取り付けられなかった場合では、綴じ具がファイル本体から外れてしまう危険性もある。
【０００７】
一方、前記挿抜作業の作業性を向上するため、前記綴じ具の貫通孔を綴じ具ベースの端部に設けた場合には、この綴じ具の貫通孔に対向する位置に背表紙の貫通孔を設けなければならない。この構成では、上記したように、前記綴じ具の重量およびこの綴じ具に綴じ込まれた被綴込物の重量により、前記綴じ具が前記背表紙部から外れやすくなってしまったり、これを防止するために固定機構が複雑になってしまったり、大型化してしまったりする。
【０００８】
また、前記背表紙部と前記綴じ具とを十分な係合力にて固定するために、前記背表紙の貫通孔を多数設けて前記背表紙部と前記綴じ具との係合箇所を多くしたい場合もある。
【０００９】
しかし、上記従来技術のような構成では、前記背表紙の貫通孔と前記綴じ具の貫通孔とを対応させる必要があり、前記貫通部材に対して前記挿通部材を挿抜させるスペースを確保する必要がある等の理由により、背表紙の貫通孔の数は限定される。
【００１０】
複数の背表紙側貫通孔を設けた場合には、各背表紙の貫通孔に挿通された貫通部材に対して挿通軸部を挿通する必要があり作業量が多くなり、前記挿抜作業が煩雑になってしまう。さらに、隣接する貫通部材同士の距離が近い等の理由も重なり作業性も極めて悪い。
【００１１】
さらに、上記従来技術の構成では、前記背表紙部の外面から前記貫通部材を前記背表紙の貫通孔に挿入させる必要があるため、前記綴じ具の着脱作業では、前記ファイル表紙体を挟んで両側から作業を行わなければならない。
【００１２】
また、このような綴込ファイルでは、前記背表紙の外側にビニール等の透明部材が積層され、前記透明部材と前記背表紙との間に見出し片を挿入できるよう構成される場合がある。このような構成の綴込ファイルでは、前記透明部材と前記背表紙との間に手を差し込むことは困難なため、何らかの道具等を使用して前記綴じ具の着脱作業を行う必要があり、作業性が悪く、さらに、作業中に前記透明部材を背表紙から剥がしてしまうおそれがある。
【００１３】
本発明はこのような点に鑑みなされたもので、作業性を向上でき、また、ファイル表紙体に対して綴じ具を強固に固定可能な綴込ファイルを提供することを目的とする。
【課題を解決するための手段】
【００１４】
本発明における綴込ファイルは、ファイル表紙体と、このファイル表紙体の内面に配設され被綴込物を綴じ込む綴じ具と、前記ファイル表紙体に対して前記綴じ具を固定する固定具と、この固定具の固定状態を保持するロック部材とを具備した綴込ファイルであって、前記ファイル表紙体は、第１係合孔を有し、前記綴じ具は、第２係合孔を有し、前記固定具は、前記ファイル表紙体および前記綴じ具の間に配置される土台部と、この土台部の一方の面に設けられ前記第１係合孔に挿通可能でありかつこの第１係合孔に挿通された状態にて前記ファイル表紙体に係合可能な係合爪と、前記土台部の他方の面に設けられ第２係合孔に挿通可能でありかつ被係合部が形成された挿通部とを有し、ロック部材は、前記被係合部に係合可能な係合部を有しているものである。
【００１５】
本発明における第２の綴込ファイルは、ファイル表紙体と、このファイル表紙体の内面に配設され被綴込物を綴じ込む綴じ具と、前記ファイル表紙体に対して前記綴じ具を固定する固定具とを具備した綴込ファイルであって、前記ファイルは、係合孔を有し、前記綴じ具は、綴じ具側係合部を有し、前記固定具は、前記ファイル表紙体および前記綴じ具の間に配置される土台部と、この土台部の一方の面に設けられ前記第１係合孔に挿通可能でありかつこの係合孔に挿通された状態にて前記ファイル表紙体に係合可能な係合爪と、前記土台部の他方の面に設けられ前記綴じ具係合部に係合可能な固定具側被係合部とを有し、前記固定具は、前記係合爪が前記係合孔に挿通されて前記ファイル表紙体に係合されかつ前記固定具側被係合部が前記綴じ具側係合部に係合されることにより、前記ファイル表紙体に対して前記綴じ具を固定するものである。
【発明の効果】
【００１６】
本発明によれば、ファイル表紙体の内側からの固定具のアクセスによって綴じ具を前記ファイル表紙体に固定できるので作業性を向上でき、また、ファイル表紙体に対して綴じ具を強固に固定可能な新規の綴込ファイルを提供できる。
【発明を実施するための最良の形態】
【００１７】
以下、本発明の第１の実施の形態の構成について図１および図２を参照しながら詳細に説明する。
【００１８】
図１に示されるように、綴込ファイル11は、ファイル表紙体12を備え、このファイル表紙体12は、背表紙部13を有している。また、綴込ファイル11は、背表紙部13の内面に配設され例えば書類や収納ホルダ等の図示しない被綴込物を綴じ込む綴じ具14を備え、背表紙部13に対して綴じ具14を固定する固定具15を備えている。
【００１９】
ファイル表紙体12は、例えば紙や合成樹脂等にて形成され、略矩形状の表表紙部16および裏表紙部17を有し、これら表表紙部16と裏表紙部17との間にヒンジ部18を介して略矩形状の背表紙部13が設けられている。また、表表紙部16および裏表紙部17は、ヒンジ部18にて背表紙部13に対して折曲可能であり、この折曲によりファイル表紙体12が開閉される。さらに、背表紙部13には、複数、例えば四つの略矩形状の第１係合孔19が形成されている。また、背表紙部13には、第１係合孔19とは別に略矩形状の位置決め孔20が形成されている。
【００２０】
綴じ具14は、例えば金属等にて形成され、背表紙部13に積層される底板部22が設けられている。この底板部22には、背表紙部13とは反対側へ突出した略矩形状の突出部23が形成されている。この突出部23には、複数、例えば二つの略矩形状の第２係合孔24が設けられている。この第２係合孔24の周縁部の一部には、綴じ具14から背表紙部13とは反対側へ向かって突出した突出片25が設けられている。また、底板部22には、ロック部材42の位置を保持する孔部26が設けられている。さらに、底板部22の長手方向に沿った幅方向の両端部すなわちヒンジ部18側に位置する両端部は、背表紙部13と反対側へ折曲され、この折曲された部分にヒンジ27を介して側板部28が回動自在に設けられている。この側板部28には、被綴込物を綴じ込むための図示しない綴じ部材を引っ掛けて固定する引掛部29が形成され、また、図示しない綴じ部材を取り付ける際の位置決め用の取付孔部30が形成されている。なお、綴じ部材は、パイプ部材と串部材とから構成され、串部材がパイプ部材に嵌合される（図示せず）。
【００２１】
図２は、図１の綴込ファイル11において、背表紙部13と綴じ具14と固定具15とを組み付けた状態のＡ−Ａ断面図であるが、固定具15は、図２に示されるように、背表紙部13と綴じ具14との間に配置される略矩形板状の土台部32が設けられている。
【００２２】
この土台部32の一方の面すなわち背表紙部13側となる面には、第１係合孔19に挿通可能でありかつこの第１係合孔19に挿通された状態にて、背表紙部13に係合可能な係合爪33が例えば二つ設けられている。さらに、土台部32の背表紙部13側となる面には、土台部32から突出して形成され、背表紙部13の位置決め孔20に挿入される図示しない位置決め突起部が設けられている。
【００２３】
土台部32の他方の面すなわち綴じ具14側となる面には、第２係合孔24に挿通可能でありかつ被係合部41が形成された挿通部35が例えば二つ設けられている。さらに、土台部32の他方綴じ具14側となる面には、土台部32から突出して形成され、挿通部35を第２係合孔24に挿通した際に、第２係合孔24の周縁部の一部に接触して固定具15に対する綴じ具14の位置ずれを防止する位置ずれ防止部36が設けられている。
【００２４】
係合爪33は、土台部32の背表紙部13側となる面から突出して第１係合孔19を挿通する基部37と、この基部37の先端から固定具15の外側方向へ突出して背表紙部13の第１係合孔19近傍に係合可能な爪部38とが形成されている。また、係合爪33は、係合爪33を第１係合孔19に挿通する際に、ガイドとして作用するガイド部39が設けられている。
【００２５】
挿通部35は、土台部32の綴じ具14側となる面から突出して設けられた基部40と、この基部40の先端から外側方向へ突出した被係合部41とから形成され、挿通部35は、断面略Ｔ字状に形成されている。
【００２６】
ここで、綴込ファイル11は、固定具15による背表紙部13に対する綴じ具14の固定状態を保持するロック部材42を備えている。
【００２７】
ロック部材42は、挿通部35に着脱自在に取り付けられるもので、挿通部35の被係合部41に係合可能な係合部45を有している。この係合部45は、段状に形成された対向する二つの係合段部43およびこれらの係合段部43の間に位置するスリット部44とから形成されている。また、ロック部材42の係合部45の他端側にいは、係合部45と被係合部41とを係合させる際に摘む部分である操作部46が設けられている。さらに、この操作部46の下側面には、孔部26と係合可能な係合突起部47が形成されている。
【００２８】
そして、挿通部35を第２係合孔24に挿通した挿通状態すなわち仮固定状態にて、第２係合孔24から外部へ突出する被係合部41に係合部45が係合されることより、挿通部35による第２係合孔24の挿通状態が保持され、背表紙部13に対して綴じ具14が固定される。さらに、綴じ具14の孔部26に、ロック部材42の係合突起部47を係合させると、ロック部材42の固定状態が保持される。
【００２９】
なお、この実施の形態では、綴じ具14が背表紙部13の内面に配設された構成としたが、このような構成には限定されず、綴じ具14は、ファイル表紙体12の内面に配設されていればよい。したがって、固定具15は、ファイル表紙体12の内面からアクセスしていれば、その係合位置は、背表紙部13に限定されず、表表紙部16または裏表紙部17であってもよい。
【００３０】
ファイル表紙体12は、表表紙部16と裏表紙部17との間にヒンジ部18を介して背表紙部13を設ける形成としたが、このような構成には限定されず、背表紙部13を設けない構成や背表紙部13が設けられていても、ヒンジ部18を設けない構成等にしてもよい。
【００３１】
綴じ具14は、基本的な構成が従来から使用される綴じ具と同様であり、被綴込物を綴じ込み可能な構成であればよい。
【００３２】
第１係合孔19、第２係合孔24、係合爪33、挿通部35は、それぞれの形成位置、形状、数が対応して設けられていればよく、それぞれ対応していれば、その形成位置や数、形状は適宜形成できる。
【００３３】
また、第１係合孔19および第２係合孔24が複数設けられた場合には、それぞれが対称に整列して設けられた構成には限定されず、第１係合孔19および第２係合孔24の位置が対応していれば、不規則に設けられた構成等でもよい。
【００３４】
ここで、一つの第１係合孔19に一つの係合爪33を挿通し、一つの第２係合孔24に一つの挿通部35を挿通する構成には限定さない。例えば、一つの第１係合孔19に複数の係合爪33を挿通して、背表紙部13と係合爪33とを係合する構成でもよい。さらに、この構成では、一つの第１係合孔19に挿通した各係合爪33の爪部38が、互いに異なる方向に突出していると好ましく、一つの第１係合孔19に挿通した各係合爪33の爪部38が互いに反対の方向へ突出しているとより好ましい。
【００３５】
背表紙部13に位置決め孔20を形成し、固定具15に図示しない位置決め突起部を形成した構成としたが、このような構成には限定されず、位置決め孔20および位置決め突起部を形成しない構成にしてもよい。
【００３６】
また、第２係合孔24の周縁部に突出片25を形成した構成には限定されず、突出片25を形成しない構成にしてもよい。
【００３７】
さらに、土台部32の綴じ具14側となる面に、位置ずれ防止部36を形成した構成には限定されず、位置ずれ防止部36を形成しない構成にしてもよい。
【００３８】
また、係合爪33にガイド部39を設ける構成には限定されず、ガイド部39を設けない構成にしてもよい。
【００３９】
次に、上記第１の実施の形態の作用および効果を説明する。
【００４０】
綴込ファイル11における背表紙部13への綴じ具14の固定に際しては、まず、ファイル表紙体12を展開し、背表紙部13に固定具15を取り付ける。この固定具15の取り付けは、背表紙部13の内面から、ガイド部39を第１係合孔19の周縁部に接触させながら基部37および爪部38を第１係合孔19に挿通する。そして、爪部38を背表紙部13の第１係合孔19近傍に係合する。この際、土台部32の図示しない位置決め突起部を位置決め孔20に挿入する。
【００４１】
次いで、背表紙部13に取り付けられた固定具15の土台部32を綴じ具14の突出部23にて覆うように、綴じ具14を背表紙部13の内面および固定具15に配設し、第２係合孔24に挿通部35を挿通する。なお、この際、挿通部35の基部40を突出片25に沿って挿通させると、正確に挿通し易い。
【００４２】
このように、固定具15の係合爪33を第１係合孔19に挿通しかつ係合し、固定具15の挿通部35を第２係合孔24に挿通することにより、背表紙部13に対して綴じ具14が仮固定される。ここで、仮固定とは、第２係合孔24に挿通部35を挿通しただけの状態であり、この状態であっても背表紙部13の内面に綴じ具14を保持し得るが、外力や被綴込物の重量が加わると、保持できない可能性がある。
【００４３】
そこで、第２係合孔24に挿通部35が挿通された固定具15にロック部材42を取り付ける。このロック部材42の取り付けの際には、挿通状態の挿通部35は、基部40の一部および被係合部41が第２係合孔24から外部へ突出しているので、この突出した基部40がスリット部44に挿入された状態になるように、挿通部35に対してロック部材42をスライドさせる。さらに、このスライドにより、係合部45の係合段部43と被係合部41とを係合させる。
【００４４】
このように、挿通部35が第２係合孔24に挿通されかつ係合部45と被係合部41とが係合されることにて、挿通部35による第２係合孔24の挿通状態が保持され、ロック部材42によって固定具15の固定状態が保持される。
【００４５】
このような構成の綴込ファイル11では、固定具15は、第１係合孔19に挿通可能でありかつ係合可能な係合爪33と、第２係合孔24に挿通可能な挿通部35とを有しているので、第１係合孔19に対応した係合爪33および第２係合孔24に対応した挿通部35を形成できる。すなわち、一般的に、背表紙部13と綴じ具14とは異なる素材にて形成され強度が異なるが、上記の構成によれば、背表紙部13の強度に対応した大きさや形状等にて係合爪33を形成でき、綴じ具14の強度に対応した大きさや形状等にて挿通部35を形成できる。例えば、背表紙部13が合成樹脂にて形成され、綴じ具14が金属にて形成された場合では、背表紙部13は綴じ具14より強度が低く破損し易い。そこで、第１係合孔19に対する係合爪33の大きさを大きく形成したり、一つの第１係合孔19に挿通して背表紙部13に係合する係合爪33の数を複数にしたり等、第１係合孔19と係合爪33との係合による負荷を分散させる構成等にでき、それぞれの係合に最適な状態の係合爪33および挿通部35を設計できる。
【００４６】
そして、それぞれの係合に最適な状態の係合爪33および挿通部35を設計することにより、ファイル表紙体12の内側からの綴じ具14および固定具15のアクセスによって、綴じ具14を背表紙部13に固定できるので作業性を向上できる。
【００４７】
また、綴込ファイル11は、係合部45を有するロック部材42を備え、固定具15は、係合部45に係合可能な被係合部41が設けられ、挿通部35が第２係合孔24に挿通されかつ被係合部41と係合部45とが係合されることにより、挿通部35による第２係合孔24の挿通状態を保持でき、固定具15によって背表紙部13に綴じ具14をより確実に固定できる。また、ロック部材42は、第２係合孔24に挿通された挿通部35に対してスライドさせるだけで脱着できるので、操作性が良好であり、さらに、簡単な構成で形成できる。
【００４８】
したがって、ファイル表紙体12の内側からの綴じ具14および固定具15のアクセスによって、綴じ具14を背表紙部13に固定できるので作業性を向上でき、また、ロック部材42により固定具15の固定状態を保持できるので、ファイル表紙体12に対して綴じ具14を強固に固定可能である。
【００４９】
さらに、通常、ファイル表紙体12に対して綴じ具14を固定具15により強固に固定すると、背表紙部13と係合爪33との係合により、ファイル表紙体12および固定具15が破損し易くなってしまうことが懸念されるが、上記の構成の綴込ファイル11は、係合爪33のみを背表紙部13の強度に合わせて最適な状態に設定できるので、係合による負荷を分散し易いように設計することにより、係合により背表紙部13および固定具15が破損し難いとともに、背表紙部13に対して綴じ具14を確実に固定できる。
【００５０】
背表紙部13に位置決め孔20が設けられ、土台部32に図示しない位置決め突起部が設けられたことにより、第１係合孔19に係合爪33を係合する際に、位置決め孔20に図示しない位置決め突起部を挿入すると、固定具15を背表紙部13に対して正確に取り付けることができる。また、取付後の固定具15が背表紙部13に対してずれ難いので、例えば外力等によって固定具15が背表紙部13から外れるおそれを抑制できる。
【００５１】
係合爪33にガイド部39が設けられることにより、係合爪33を第１係合孔19に挿通する際に、ガイド部39を第１係合孔19の周縁部に接触させながら挿通できるので、係合爪33が第１係合孔19の周縁部に干渉し難く、容易に挿通できる。
【００５２】
また、土台部32に、位置ずれ防止部36が形成されたことにより、挿通部35を第２係合孔24に挿通する際に、位置ずれ防止部36も第２係合孔24に挿通させると、位置ずれ防止部36が第２係合孔24の周縁部の一部に接触する。したがって、固定具15に対して綴じ具14がずれ難く、また、綴じ具14を確実に固定できる。
【００５３】
さらに、第２係合孔24の周縁部の一部に突出片25が設けられることにより、挿通部35を第２係合孔24に挿通する際に、基部37を突出片25に沿って挿通できるので、正確に挿通できる。
【００５４】
ここで、図３およびこの図３の固定具15にて背表紙部13に対して綴じ具14を固定した状態のＢ−Ｂ断面図である図４には、係合爪133および挿通部135の設計例が示されている。この構成では、土台部32の背表紙部13側となる面の一方の端部に係合爪133が設けられ、土台部32の綴じ具14側となる面の他方の端部に挿通部135が設けられている。このような構成とすることにより、固定具15における係合爪133の挿通位置と挿通部135の挿通位置とを同一線上にならないようにできる。すなわち、綴じ具14および被綴込部材の重量が最も作用する第１係合孔19と係合爪133との位置を、被綴込物を綴じ込む図示しない綴じ部材の背表紙部13側直下に設定しても、土台部32の他端側に位置する挿通部135は、綴じ部材の背表紙部13側直下に位置しない。したがって、綴じ具14を取り付ける際に、挿通部135を第２係合孔24に挿通させて、さらに、ロック部材42を取り付ける作業が綴じ部材によって阻害され難い。したがって、背表紙部13と固定具15とを強固に固定できかつ脱着の際の作業性が良好である。
【００５５】
なお、土台部32に設けられる係合爪の数と挿通部の数を異なる構成にすることもできる。綴じ具14やこの綴じ具14に綴じ込まれた被収納物の重量等に抗する部材である係合爪は、背表紙部13との強い係合力が要求されるが、例えば、図１や図３の実施の形態のような二つの係合爪が設けられた固定具15を二つ用い、合計四つの係合爪により背表紙部13に対して係合すると、極めて協力な係合力が得られる。一方、挿通部は、一般的に金属等で形成された綴じ具14に設けられた第２係合孔24に挿通された挿通状態をロック部材42にて保持できればよいので、図１や図３の実施の形態のような固定具15を一つだけ用い、挿通部が二つしか設けられていない構成であっても、十分であり、むしろこの構成であれば、ロック部材42の係合部45と挿通部の被係合部41とを係合させる作業が少ないので、容易にロック部材42を取り付けることができる。
【００５６】
このように、上記実施例では、係合爪の数と挿通部の数とを異なる構成や、図３のように土台部32における係合爪が設けられた相対位置と挿通部が設けられた相対位置とを変える構成等のように設計することにより、ファイル表紙体12および綴じ具14に応じて、それぞれに対して最適な係合状態を得ることができ、かつ良好な作業性を得ることができる。
【００５７】
次に、第２の実施の形態について図５および図６を参照しながら説明する。なお、上記の実施の形態と同一の構成および作用については、同一符号を付してその説明を省略する。
【００５８】
背表紙部13には、図示しない二つの第１係合孔が設けられ、綴じ具14には、二つの第２係合孔24が設けられている（図示略）。
【００５９】
また、図５に示されるように、係合爪33と挿通部35とがそれぞれ一つずつ形成された固定具15が二つ設けられている。これら二つの固定具15は、第１係合孔と係合爪33との係合方向が互いに反対になるように取り付けられる。なお、二つの固定具15の第１係合孔と係合爪33との係合方向が反対になる構成には限定されず、第１係合孔と係合爪33との係合方向が同じ方向となるように各固定具15を取り付けてもよい。
【００６０】
ロック部材48は、略矩形板状のロック部材本体49と、このロック部材本体49に設けられた例えば二つの係合部50と、ロック部材本体49の一端部に形成された操作部46とから構成されている。係合部50は、略矩形状の孔部51と、この孔部51の周縁部から孔部51の内側へ向かって突出した係合突出部52とから形成されている。
【００６１】
なお、係合部50の数は、背表紙部13に取り付けられる固定具15に対応した数であればよい。また、第１係合孔、第２係合孔24、挿通部35、係合部50は、それぞれ二つずつ設けられた構成に限定されず、それぞれの数が対応していればよい。
【００６２】
そして、背表紙部13に対して綴じ具14を固定する際には、まず、固定具15の係合爪33を第１係合孔に挿通しかつ係合する。この際、第１係合孔と係合爪33との係合方向が反対になるになるように各固定具15が取り付けられると、係合による負荷を分散させて、背表紙部13または固定具15の破損を防止できる。
【００６３】
次いで、綴じ具14を背表紙部13の内面および固定具15に積層し、挿通部35を第２係合孔24に挿通させる。第２係合孔24に挿通された挿通部35は、基部40の一部および被係合部41が第２係合孔24から外部へ突出する。
【００６４】
次いで、綴じ具14にロック部材48を積層し、第２係合孔24から外部へ突出した基部40の一部および被係合部41を係合部50の孔部51に挿通させる。
【００６５】
さらに、この綴じ具14に積層した状態のロック部材48を綴じ具14に対してスライドさせる。このスライドにより、図４に示されるように、被係合部41と係合部50の係合突出部52とが係合し、挿通部35による第２係合孔24の挿通状態が保持される。
【００６６】
このように、背表紙部13に取り付けられる挿通部35に対応した数の係合部50がロック部材42に設けられていることにより、ロック部材48を固定具15に対してスライドさせるだけで、係合部50と被係合部41との係脱を切り替えることができる。したがって、係脱の切り替えが容易になるので、ロック部材48の操作性を向上できる。
【００６７】
また、ロック部材48にて挿通部35による第２係合孔24の挿通状態を確実に保持できるので、綴じ具14を背表紙部13に確実に固定できる。
【００６８】
なお、綴じ具14に図示しないフック部を設け、ロック部材48の幅方向の側面部に図示しないフック部がスライド可能に係合する細長形状の図示しないスライド部を設ける構成としてもよい。この構成では、ロック部材48を積層する際に、図示しないフック部と図示しないスライド部とを係合させる。そして、ロック部材48を図示しないスライド部に沿ってスライドできるので、ロック部材48を固定具15に対してスライドし易く、係合部50と被係合部41との係脱を確実に切り替えることができるので好ましい。
【００６９】
次に、第３の実施の形態について図７ないし図９を参照しながら説明する。なお、上記の実施の形態と同一の構成および作用については、同一符号を付してその説明を省略する。
【００７０】
図７ないし図９に示されるように、固定具15には、第１折曲部55を介して土台部32と一体的にロック部材54が設けられている。このロック部材54は、土台部32およびロック部材54の幅方向に延びる第１折曲部55にて、土台部32の綴じ具14側に折曲可能である。また、先端部には、係合段部43およびスリット部44が設けられた係合部45を有している。
【００７１】
第１折曲部55と係合部45との間には、第１折曲部55に対して略平行に形成された第２折曲部56および第３折曲部57が設けられている。第２折曲部56には、第２折曲部56から第３折曲部57の方向へ突出して形成された引掛部58が設けられ、さらに、第２折曲部56から第３折曲部57の方向へ引掛部58より大きい略円弧状に切り欠かれた切欠部59が設けられている。
【００７２】
そして、背表紙部13に対して綴じ具14を固定する際には、まず、係合爪33を第１係合孔19に係合し、図７におけるロック部材54が係合されず展開された状態でのＣ−Ｃ断面図である図８に示される挿通部35を第２係合孔24に挿通した状態にて、ロック部材54を第１折曲部55にて固定具15側へ折曲する。
【００７３】
次いで、第２折曲部56および第３折曲部57を折曲しながら、係合部45と被係合部41とを係合させる。さらに、係合部45と被係合部41とを係合させながらスライドさせて、ロック部材54を固定具15に対して略平行な状態にする。土台部32とロック部材54とによって綴じ具14の底板部22を挟むように綴じ具14を固定する。
【００７４】
このように、ロック部材54が固定具15と一体的に設けられることにより、係合部45と被係合部41とを係合させて、さらに、土台部32とロック部材54とによって底板部22を挟むように綴じ具14を固定できるので、綴じ具14をより確実に固定できる。
【００７５】
背表紙部13から綴じ具14を取り外す際には、切欠部59に例えば指等を挿入し、その指を引掛部58に引っ掛けて引掛部58を引き上げるようにして、ロック部材54をスライドさせる。このスライドにより係合部45と被係合部41との係合を解除する。さらに、そのままロック部材54と固定具15とを離間させるように固定具15を展開して、ロック部材54を背表紙部13に対して略平行な状態にする。
【００７６】
そして、綴じ具14を固定具15から取り外し、固定具15を背表紙部13から取り外す。
【００７７】
このように、ロック部材54は、引掛部58と切欠部59とが設けられることにより、係合部45と被係合部41との係合を容易に解除できるので、ロック部材54の操作性を向上できる。
【００７８】
さらに、係合部45と被係合部41との係合状態を解除しても、固定具15にロック部材54が一体的に設けられているので、ロック部材54を紛失するおそれを防止できるとともに、構成部品を少なくすることができ、製造コストを抑制できる。
【００７９】
なお、この実施の形態においても、ロック部材54および固定具15に、ロック部材54による固定状態を保持する図示しない孔部や係合突起部等のような保持手段を設けると、固定具15による固定状態をより確実に保持できるので好ましい。
【００８０】
次に、第４の実施の形態について図１０および図１１を参照しながら説明する。なお、上記の実施の形態と同一の構成および作用については、同一符号を付してその説明を省略する。
【００８１】
図１０およびこの図１０における綴じ具14を配設した状態でのＤ−Ｄ断面図である図１１に示されるように、ファイル表紙体12には、係合孔80が設けられている。また、綴じ具14には、綴じ具係合孔60の周縁部から一体的に形成された綴じ具側係合部61と、底板部22の略中央に形成された略円形状の係合孔部62とが設けられている。
【００８２】
綴じ具側係合部61は、綴じ具係合孔60の周縁部から背表紙部13側へ突出する基部63と、この基部63から綴じ具14の外側へ突出する爪部64とから形成されている。
【００８３】
固定具15は、対向して組み付けられる二つの固定体65から形成され、この固定体65には、土台部32が設けられている。この土台部32の一方の面には、係合孔80に挿通可能であり、この係合孔80に挿通された状態にてファイル表紙体12に係合可能な係合爪33が設けられている。また、土台部32の他方の面には、綴じ具側係合部61に係合可能な固定具側被係合部66が設けられている。ここで、固定具側被係合部66は、土台部32における他方の固定体65とは反対側に位置する端部に設けられている。また、固定具側被係合部66には、この固定具側被係合部66から他方の固定体65側へ向かって突出し、綴じ具側係合部61に係合可能な被係合片66aが設けられている。この被係合片66aの長手方向の一端には、ストッパ部66bが形成されている。さらに、固定体65における他方の固定体65側に位置する端部には、土台部32の綴じ具14側となる方向へ向かって突出する断面略半円形状の突出部68が設けられている。なお、この突出部68は、二つの固定体65を組み付けた際に、他方の突出部68係合して断面略円形状の円形突出部69となり、この円形突出部69は、綴じ具14の係合孔部62と係合可能である。
【００８４】
背表紙部13に対する綴じ具14の固定に際しては、二つの固定体65の係合爪33を係合孔80
に係合させると同時に、二つの固定体65を対向するように組み付けて固定具15を形成し、背表紙部13の内面に固定具15を取り付ける。
【００８５】
次いで、綴じ具14を背表紙部13の内面および固定具15に配設し、係合孔部62と円形突出部69とを係合する。ここで、綴じ具14を固定具15に対して配設する際には、綴じ具側係合部61と固定具側被係合部66とが干渉しないようにする。
【００８６】
次いで、固定具15に対して綴じ具14を係合孔部62を中心にスライドして回動させる。なお、綴じ具14は綴じ具側係合部61がストッパ部66bに接触するまで回動させる。この回動により、綴じ具側係合部61と固定具側被係合部66とが係合し、綴じ具14が背表紙部13および固定具15に沿って積層される。
【００８７】
このように、固定具側被係合部66と綴じ具側係合部61とが係合されることによって、綴じ具14が背表紙部13に対して固定される。
【００８８】
そして、綴じ具14に綴じ具側係合部61が設けられ、固定具15に綴じ具側被係合部61に係合可能な固定具側被係合部66が設けられることにより、綴じ具側係合部61と固定具側被係合部66とを係合するだけで綴じ具14を背表紙部13に対して固定できるので、綴じ具14の固定を容易にできる。
【００８９】
また、固定具15に対して綴じ具14をスライドして回動可能に構成されることにより、固定具15に対して綴じ具14をスライドして回転させるだけで、綴じ具側係合部61と固定具側被係合部66との係脱を切り替えることができるので、操作性を向上できる。
【００９０】
さらに、固定具側被係合部66の一端にストッパ部66bを形成することにより、綴じ具側係合部61と固定具側被係合部66とを正確に係合できる。
【００９１】
固定具15は、二つの固定体65を組み付けて形成されることにより、二つ固定体65は、各固定体65の係合孔80と係合爪33とが係合した状態にて互いに支持し合うので、係合孔80と係合爪33との係合状態を保持し易い。したがって、固定具15を背表紙部13に確実に取り付けることができるので好ましいが、このような構成には限定されず、綴じ具側係合部61と固定具側被係合部66とが係合できる構成であれば、固定体65を組み付けて固定具15が形成される構成でなくてもよい。
【００９２】
次に、第５の実施の形態について図１２ないし図１４を参照しながら説明する。なお、上記の実施の形態と同一の構成および作用については、同一符号を付してその説明を省略する。
【００９３】
図１２およびこの図１２のＥ−Ｅ断面図である図１３に示されるように、綴じ具14は、底板部22から背表紙部13と反対方向へ突出した突出部71が形成されている。
【００９４】
また、この突出部71の背表紙部13側となる部分には、第２係合孔24が設けられている。この第２係合孔24は、底板部22の一部に設けられた切込部72が背表紙部13側となる方向へ向かって折曲されて形成される。さらに、第２係合孔24は、切込部72の先端部が綴じ具14の内側へ折曲されて形成された係合片73と、突出部71に形成された操作孔部74とが設けられている。
【００９５】
突出部71の長手方向端部には、この端部から背表紙部13側となる方向へ突出した略矩形状の係止部75が設けられている。
【００９６】
綴じ具14には、第２係合孔24より内側に位置し、綴じ具14に取り付けられた固定具15を外側へ向かって付勢するばね部材76が設けられている。
【００９７】
図１３および図１４に示されるように、挿通部35の先端部には、係合片73と係合可能であり基部40から外側へ向かって突出した略矩形板状の被係合片77が形成されている。なお、この被係合片77は係合片73に対してスライド可能に係合し、係合片73に係合された被係合片77は、ばね部材76にて綴じ具14の外側へ付勢され、係止部75にて係止される。
【００９８】
また、挿通部35の先端部側の面には、凹状に形成された略円形状の操作凹部78が形成されている。この操作凹部78は、固定具15を綴じ具14に取り付けた際に、操作孔部74に対応する位置に形成されている。
【００９９】
そして、背表紙部13に綴じ具14を固定する際には、まず、綴じ具14に固定具15を取り付ける。この固定具15の取り付けは、綴じ具14の背表紙部13側から、被係合片77を係合片73に沿って係止部75に接触するまでスライドさせて係合片73と被係合片77とを係合させる。なお、係合片73と被係合片77とが係合することにより第２係合孔24に挿通部35が挿通した状態となる。さらに、ばね部材76にて被係合片77を綴じ具14の外側すなわち係止部75側へ向かって付勢し、挿通状態を保持する。
【０１００】
次いで、綴じ具14に取り付けられた固定具15の係合爪33を第１係合孔19に挿通しかつ係合させる。
【０１０１】
背表紙部13から綴じ具14および固定具15を取り外す際には、操作孔部74に例えば指等を引っ掛け、ばね部材76の付勢力に抗して綴じ具14に対して固定具15をスライドさせる。このスライドにより、係合片73と被係合片77との係合を解除されるので、背表紙部13を取り外す。
【０１０２】
次いで、第１係合孔19と係合爪33との係合を解除し、背表紙部13から固定具15を取り外す。
【０１０３】
このように、係合片73と被係合片77とが係合した状態では、被係合片77が、係止部75にて係止されかつばね部材76にて係止部75側へ付勢されるので、第２係合孔24に挿通部35が挿通された状態を確実に保持でき、綴じ具14に固定具15が取り付けられた状態を確実に保持できる。
【０１０４】
また、綴じ具14に対して固定具15をスライドするだけで、係合片73と被係合片77との係脱を切り替えることができるので、綴じ具14に対する固定具15の取り付けを容易にできる。
【図面の簡単な説明】
【０１０５】
【図１】本発明の綴込ファイルにおける第１の実施の形態を示す斜視図である。
【図２】同上綴込ファイルの断面図である。
【図３】同上綴込ファイルの固定具の設計例を示す斜視図である。
【図４】同上綴込ファイルの固定具の設計例を示す断面図である。
【図５】本発明の綴込ファイルにおける第２の実施の形態を示す斜視図である。
【図６】同上綴込ファイルの取り付け状態を示す斜視図である。
【図７】本発明の綴込ファイルにおける第３の実施の形態を示す斜視図である。
【図８】同上綴込ファイルの断面図である。
【図９】同上綴込ファイルにおける固定具およびロック部材を示す斜視図である。
【図１０】本発明の綴込ファイルにおける第４の実施の形態を示す斜視図である。
【図１１】同上綴込ファイルの断面図である。
【図１２】本発明の綴込ファイルにおける第５の実施の形態を示す斜視図である。
【図１３】同上綴込ファイルの断面図である。
【図１４】同上綴込ファイルにおける固定具を示す斜視図である。
【符号の説明】
【０１０６】
11    綴込ファイル
12    ファイル表紙体
14    綴じ具
15    固定具
19    第１係合孔
24    第２係合孔
32    土台部
33    係合爪
35    挿通部
41    被係合部
42    ロック部材
45    係合部
61    綴じ具側係合部
66    固定具側被係合部
80    係合孔
【図１】
0005042915.tif 000002
【図２】
0005042915.tif 000003
【図３】
0005042915.tif 000004
【図４】
0005042915.tif 000005
【図５】
0005042915.tif 000006
【図６】
0005042915.tif 000007
【図７】
0005042915.tif 000008
【図８】
0005042915.tif 000009
【図９】
0005042915.tif 000010
【図１０】
0005042915.tif 000011
【図１１】
0005042915.tif 000012
【図１２】
0005042915.tif 000013
【図１３】
0005042915.tif 000014
【図１４】
0005042915.tif 000015